(57)【要約】【課題】アイリス状態に応じた動的なユニフォミティ補正を、メモリ容量やデータ量の増大をほとんど伴うことなく行う。【解決手段】本装置は、光制限部と、光制限部からの光を入射して変調する映像表示部と、光制限部の第１光制限状態に適している第１補正量と、第２光制限状態に適している第２補正量とを記憶している記憶部（ＳＲＡＭ６３３）と、第１補正量と第２補正量に対し、光制限部の光制限量に連動して変化する係数αを用いる重み付け演算を含む処理を実行することによって、第１光制限状態と第２光制限状態との間の第３光制限状態に適している第３補正量を算出する補正量算出回路６３４と、映像信号ＰＳＩＮに対するユニフォミティ補正を、第１補正量、第２補正量または第３補正量（補正量Ｐ）を用いて実行する補正回路６３５とを有する。【選択図】図１
2007249063.tif 000002
【特許請求の範囲】
【請求項１】
入射光を制限して出力するときの光制限量が変更可能な光制限部と、
前記光制限部からの光を入射し、当該光を、入力される映像信号のレベルに応じて変調して出射する映像表示部と、
前記光制限部の第１光制限状態に適している第１補正量と、第２光制限状態に適している第２補正量とを記憶している記憶部と、
前記第１補正量と前記第２補正量に対し、前記光制限部の光制限量に連動して変化する係数を用いる重み付け演算を含む処理を実行することによって、前記第１光制限状態と前記第２光制限状態との間の第３光制限状態に適している第３補正量を算出する補正量算出回路と、
前記映像表示部の入射光に対する出射光の一様性を高めるための、前記映像信号に対する補正を、前記第１補正量、前記第２補正量または前記第３補正量を用いて実行する補正回路と、
を有する映像表示装置。
【請求項２】
前記記憶部に記憶されている前記第１補正量、前記第２補正量の各々が、前記映像表示部の所定間隔ごとの画素位置に対応する数だけ補正データを含み、
前記補正量演算回路は、
前記映像信号の画素データの入力に応じて、対応する画素のアドレスを発生するアドレス発生部と、
前記アドレスを入力し、入力したアドレスに対応する特定画素の周囲に位置する複数の周辺画素に対応する前記第１補正量の複数の補正データと前記第２補正量の複数の補正データとを前記記憶部から読み出して、前記周辺画素ごとに前記第１補正量の補正データと前記第２補正量の補正データとを前記係数に応じた比率で混合する混合部と、
前記複数の周辺画素に対応する混合後の複数の補正データから補間により、前記特定画素の前記第３補正量を求める補間部と、
を有する請求項１に記載の映像表示装置。
【請求項３】
前記記憶部に記憶されている前記第１補正量、前記第２補正量の各々が、前記映像表示部の所定間隔ごとの画素位置に対応する数だけ補正データを含み、
前記補正量演算回路は、
前記映像信号の画素データの入力に応じて、対応する画素のアドレスを発生するアドレス発生部と、
前記アドレスを入力し、入力したアドレスに対応する特定画素の周囲に位置する複数の周辺画素に対応する前記第１補正量の複数の補正データを前記記憶部から読み出して、読み出した複数の補正データから補間により前記特定画素の前記第３補正量を求め、前記複数の周辺画素に対応する前記第２補正量の複数の画素データを前記記憶部から読み出して、読み出した複数の画素データから補間により前記特定画素の前記第３補正量を求める補間部と、
前記補間部が求めた２つの前記第３補正量を、前記係数に応じた比率で混合して、前記補正部に出力する混合部と、
を有する請求項１に記載の映像表示装置。
【請求項４】
前記記憶部に記憶されている前記第１補正量、前記第２補正量の各々が、前記映像表示部の水平、垂直の２方向と、信号レベルの大きさの方向との合計３方向について、それぞれの方向で決められた所定間隔ごとのポイント数だけ補正データを含み、
前記混合部が、前記第１補正量、前記第２補正量のそれぞれについて８ポイント分、合計１６個の前記補正データを読み出して、ポイントごとに前記係数を用いた前記混合を行って前記１６個の補正データから８個の補正データを生成し、
前記補間部は、前記混合部が生成した前記８個の補正データから、３次元補間によって前記補正部に出力すべき１つの前記第３補正量を求める
請求項２に記載の映像表示装置。
【請求項５】
前記記憶部に記憶されている前記第１補正量、前記第２補正量の各々が、前記映像表示部の水平、垂直の２方向と、信号レベルの大きさの方向との合計３方向について、それぞれの方向で決められた所定間隔ごとのポイント数だけ補正データを含み、
前記補間部は、前記第１補正量、前記第２補正量のそれぞれについて８ポイント分、合計１６個の前記補正データを前記記憶部から読み出して、前記第１補正量、前記第２補正量ごとに、対応する８個の補正データから３次元補間を行うことによって、前記混合部が混合すべき前記２つの第３補正量を求める
請求項３に記載の映像表示装置。
【請求項６】
前記入力される映像信号から画面の明るさを算出する明るさ算出部をさらに有し、
前記光制限部は、前記画面の明るさに基づいて光制限状態を前記第１光制限状態と前記第２光制限状態を上限と下限とする範囲で自動変更する機能を有する
請求項１に記載の映像表示装置。
【請求項７】
前記入力される映像信号から画面の明るさを算出する明るさ算出部と、
前記信号処理部で求めた前記画面の明るさに基づいて、前記補正量算出回路が入力する前記映像信号のゲインを変化可能なゲイン制御部と、
をさらに有する請求項１に記載の映像表示装置。
【請求項８】
前記補正量算出回路は、大きさが異なる複数の係数から、入力される前記映像信号のレベルに応じた大きさの一の係数を選択し、選択した係数を用いて前記重み付け演算を行う
請求項１に記載の映像表示装置。
【請求項９】
前記混合部は、大きさが異なる所定数の係数から、入力される前記映像信号のレベルに応じた大きさの一の係数を選択して、選択した係数を用いて前記混合を行う
請求項２または３に記載の映像表示装置。
【請求項１０】
光制限量が変更可能な光制限部を通過した光を入射し、当該入射した光を入力信号レベルに応じて変調する映像表示部に対し供給する映像信号を信号処理する映像信号処理装置であって、
前記光制限部の第１光制限状態に適している第１補正量と、第２光制限状態に適している第２補正量とを記憶している記憶部と、
前記第１補正量と前記第２補正量に対し、前記光制限部の光制限量に連動して変化する係数を用いる重み付け演算を含む処理を実行することによって、前記第１光制限状態と前記第２光制限状態との間の第３光制限状態に適している第３補正量を算出する補正量算出回路と、
前記映像表示部の入射光に対する出射光の一様性を高めるための、前記映像信号に対する補正を、前記第１補正量、前記第２補正量または前記第３補正量を用いて実行する補正回路と、
を有する映像信号処理装置。
【請求項１１】
前記記憶部に記憶されている前記第１補正量、前記第２補正量の各々が、前記映像表示部の所定間隔ごとの画素位置に対応する数だけ補正データを含み、
前記補正量演算回路は、
前記映像信号の画素データの入力に応じて、対応する画素のアドレスを発生するアドレス発生部と、
前記アドレスを入力し、入力したアドレスに対応する特定画素の周囲に位置する複数の周辺画素に対応する前記第１補正量の複数の補正データと前記第２補正量の複数の補正データとを前記記憶部から読み出して、前記周辺画素ごとに前記第１補正量の補正データと前記第２補正量の補正データとを前記係数に応じた比率で混合する混合部と、
前記複数の周辺画素に対応する混合後の複数の補正データから補間により、前記特定画素の前記第３補正量を求める補間部と、
を有する請求項１０に記載の映像信号処理装置。
【請求項１２】
前記記憶部に記憶されている前記第１補正量、前記第２補正量の各々が、前記映像表示部の所定間隔ごとの画素位置に対応する数だけ補正データを含み、
前記補正量演算回路は、
前記映像信号の画素データの入力に応じて、対応する画素のアドレスを発生するアドレス発生部と、
前記アドレスを入力し、入力したアドレスに対応する特定画素の周囲に位置する複数の周辺画素に対応する前記第１補正量の複数の補正データを前記記憶部から読み出して、読み出した複数の補正データから補間により前記特定画素の前記第３補正量を求め、前記複数の周辺画素に対応する前記第２補正量の複数の画素データを前記記憶部から読み出して、読み出した複数の画素データから補間により前記特定画素の前記第３補正量を求める補間部と、
前記補間部が求めた２つの前記第３補正量を、前記係数に応じた比率で混合して、前記補正部に出力する混合部と、
を有する請求項１０に記載の映像信号処理装置。
【請求項１３】
前記入力される映像信号から画面の明るさを算出する明るさ算出部をさらに有し、
前記光制限部は、前記画面の明るさに基づいて光制限状態を前記第１光制限状態と前記第２光制限状態を上限と下限とする範囲で自動変更する機能を有する
請求項１０に記載の映像信号処理装置。
【請求項１４】
前記入力される映像信号から画面の明るさを算出する明るさ算出部と、
前記信号処理部で求めた前記画面の明るさに基づいて、前記補正量算出回路が入力する前記映像信号のゲインを変化可能なゲイン制御部と、
をさらに有する請求項１０に記載の映像信号処理装置。
【発明の詳細な説明】
【技術分野】
【０００１】
本発明は、一般にアイリスまたは絞りと称される、光制限量のパラメータを制御する光制限部を備え、入力される映像信号レベルに応じて映像表示部に映像を表示する直視型または投射型の映像表示装置と、当該映像表示装置に用いることが可能な映像信号処理装置とに関する。
【背景技術】
【０００２】
近年、表示デバイスはＣＲＴ(cathode ray tube)から急速にフラットパネルに移行しており、フラットパネルの中でも、ＬＣＤ(liquid crystal display)、ＰＤＰ(plasma display panel)、ＦＥＤ(Field Emission Device)など多様化する傾向にある。これらの表示デバイスはランプ光源からの光を透過または反射させ、あるいは、表示デバイスの画素が自発光したりする違いはあるものの、全て表示デバイスからの光を人間が映像情報としてとらえている。したがって、表示デバイスからの光の品質が映像画質に関わってくる。
【０００３】
《ユニフォミティ》
このうち液晶パネルは、液晶（ＬＣＤ）を画素ごとに封入し、液晶層に光源の光を透過あるいは反射させて用いられる。より詳細には、液晶層に外部からの映像信号レベルに応じた電界を印加し、その電界に応じた液晶分子の偏光を利用して階調表現を行う。
しかしながら、フラットディスプレイとして用いられる場合、液晶パネルの液晶層の厚みや光源の光量が画面内に一様ではなく、ある程度ムラのある状態になっている場合がある。つまり、液晶パネルの液晶層の厚み、液晶層（とくに液晶パネルの四隅）に加わる応力の違い、または、光源の光量が画面でばらつくと、入力される映像信号レベルと入射光量が同じ場合でも、液晶層を透過あるいは反射する光（出射光）の光量がばらつく。そして、このばらつきがある程度大きいと、映像として一様の明るさの表示を行う場合にも、目に入る映像の明るさとしてはムラが存在し、画像の一部分は明るいが一部は暗いなどのように、いわゆるユニフォミティが低い映像となる。
【０００４】
《ユニフォミティ補正》
ディスプレイ表示にムラを取り除くため、表示デバイス自体の光学特性やパネル特性を改良してユニフォミティを向上させることが行われている。ただし、パネル特性改良は時間を要し、困難性も高いため開発コストが増加する。このため、ユニフォミティ向上を目的とした補正（以下、ユニフォミティ補正という）としての信号処理を、パネル特性改良に加えて行うことが望ましい。
【０００５】
ユニフォミティ補正を行う画像表示装置が知られている（たとえば特許文献１参照）。この特許文献１には、いわゆる２次元γ補正および３次元γ補正と、そのための構成が記載されている。
２次元γ補正とは、入力される映像信号の画素データの水平（ｘ）アドレスおよび垂直（ｙ）アドレスをアドレスデータ発生部で発生させ、その２次元アドレスに対応する表示時の画素位置に適した補正量で、上記画素データのレベル（輝度レベル）を調整するものである。これによって、表示パネルの画素位置に応じて輝度レベルが最適化され、この技術を用いると、光源からの光量ムラや液晶層の厚みムラに起因したユニフォミティの低下を改善（向上）することができる。
３次元γ補正は、上記２次元γ補正において、さらに信号レベル、すなわち各画素データの輝度レベルに応じて、補正量を変化させるものである。
なお、上記ユニフォミティ補正では、すべての画素データに対する補正量をテーブルで持っていると、そのデータ量が膨大になるため、補正データテーブルには、水平、垂直に各々所定間隔の画素ごとに補正データを保持させ、他の画素の補正量は、保持されている補正データから補間により算出する。また、３次元γ補正では、信号レベルを検出する手段を有し、信号レベルごとに補正データをテーブルに保存して、信号レベルに応じた補正データを読み出すことによって３次元補間を行う構成となっている。
【０００６】
《動的なアイリス調整》
ところで、光源と液晶パネルを有する直視型または投射型の表示装置では、表現できる明るさと暗さの比であるコントラストが液晶の特質上、低い。すなわち黒表示に際し、液晶パネルに入射する光が表示面に対し垂直の場合は液晶分子が光をほぼ完全に遮断できるが、入射角が大きい、すなわち入射光の向きがパネル面に垂直な方向から大きくずれると、当該入射光の向きと液晶分子の偏光方向とにずれが生じるため光の漏れ成分が発生する。このため黒の表示品質が悪く、これによってコントラストが低くなる。
そして、コントラストを向上させるために、光源から液晶パネルまでの光路に、アイリスまたは絞りと称されるシャッター（光制限手段）を設け、コントラストを低下させる斜めの入射光成分を減らすことを行っている。
【０００７】
しかし、光制限手段を用いると、液晶パネルに入射する光量が減るため、表示画面が暗くなるという欠点がある。
そこで、光制限手段を用いて映像シーンの画面の明るさに応じて、動的に適切な光制限量で光源からの光を絞る技術が知られている（たとえば特許文献２参照）。
特許文献２に記載された技術を用いると、暗いシーンのときには光制限手段を絞って光量を下げることで、光量が下がった量に応じて暗い部分の、液晶分子からの光漏れに起因した微小な明るさを除くことができる。また、明るいシーンでは絞り開放として光量を絞らずに制御すると、表示画面を明るくできる。これによってコントラストを高く維持しながら、明るいシーンの画面を、より明るく保つことができる。
なお、光源としてＬＥＤ(light emitting diode)や光源自体で光量を変えることができるメタルハライドランプなどを用いれば、光制限手段を用いない場合でも直接光源の光量をコントロールすることがある程度可能なため、前述したアイリスを絞るときと同様の効果を得ることができる。
【０００８】
《アイリスを動かしたときのユニフォミティ補正》
アイリスを動かしたときのユニフォミティ補正の技術が知られている（たとえば特許文献３参照）。
この技術では、投射環境の明るさなどに応じて光制限手段を絞り、その結果、液晶パネルに入射する光の角度分布の変化を伴う動作を、投影レンズのズーム位置により検出し、その検出結果に応じてユニフォミティ補正量を変更する。また、使用する投射レンズのＦナンバーに応じてユニフォミティの補正量を変更する。このような使用方法では、設置環境において電源投入時などにユニフォミティを調整すればよく、状況（ズーム位置やＦナンバー）に応じたユニフォミティ補正データを補正データ格納部に予め用意しておいて、使用状況確定後にある程度時間をかけて補正データを入れ替えていくことで対応することができる。
【特許文献１】特開平１１−１０９９２７号公報
【特許文献２】特開２００１−２６４７２８号公報
【特許文献３】国際公開番号ＷＯ２００４／１１１７２４  Ａ１公報
【発明の開示】
【発明が解決しようとする課題】
【０００９】
上記特許文献３のように、アイリス調整に応じてユニフォミティ補正量を変更する必要性は、以下の理由に因る。
光源からの光が通る光路が一様な光密度をもち、光制限手段によって遮られずに通過する光と一部遮られた光とにおいて、光路面積と光密度とで規定される光量同士が完全に比例するのであれば、アイリス調整量（光制限量）を変化させることが、ユニフォミティ補正に及ぼす影響はほとんどないと考えられる。
しかし、実際には光路中の光密度は一様ではない場合がほとんどである。したがって、アイリス調整量を変えた場合、それに応じて補正量も変更しなければ、適切なユニフォミティ補正は行えない。以下、その理由をさらに詳しく述べる。
【００１０】
光制限手段の光制限量を動かしてアイリス調整することが可能なディスプレイ装置では、光制限手段によって光源光が制限を受けない場合と、受ける場合がある。したがって、このディスプレイ装置で、パネルに対するユニフォミティ調整を行った場合、絞りを動作させていなければユニフォミティの調整が取れているが、絞りを動作させるとユニフォミティのバランスがくずれてしまう。つまり、たとえば５０[％]階調の表示を行う場合に、光量１００[％]に対して信号レベル５０[％]で表現した５０[％]階調と、光量５０[％]に対して信号レベル１００[％]で表現した５０[％]階調では、おなじ５０[％]階調でもユニフォミティのバランスは異なってしまう。
以上より、アイリス調整を行う場合、それに応じてユニフォミティ補正量も変える必要がある。
【００１１】
このため上記特許文献３では、使用する投影レンズのズーム位置やＦナンバーに応じてアイリス調整を行い、また、ズーム位置やＦナンバーに応じてユニフォミティ補正量を変更することで、上記不具合を防止する。
【００１２】
しかし、投影レンズのズーム位置やＦナンバーごとに補正量を補正データ格納部に記憶させると、その記憶データ量が膨大となるため、大きなメモリ容量を要し、コスト増となる。また、Ｆナンバーのみでは補正精度が粗く、また、ズーム位置を用いる場合でもある程度離散的なステップに分けて、ズーム位置のステップごとに補正データを用意する方法が、記憶データ増大を抑制するためには現実的である。ただし、その場合に補正精度が低下することは免れ得ない。
また特許文献３の技術では、投影レンズと無関係にアイリス調整を行った場合、ユニフォミティが補正できないという不都合もある。その意味では、たとえば特許文献２に記載されているような動的なアイリス調整と、たとえば特許文献１に記載されているようなユニフォミティ補正とを組み合わせる必要がある。
【００１３】
しかし、そのような組み合わせに関する技術は、上記特許文献１〜３のいずれにも記載されていない。
また、この組み合わせ、すなわち上記特許文献２に記載されている技術等を用いて動的なアイリス調整を行う場合に、上記特許文献３に記載されている技術等を用いてユニフォミティ補正を行うと、次に述べるように特許文献３と同様に、メモリ容量の増大と、これに伴うコストの増大が課題となる。
動的なアイリス調整を行う場合に、このアイリス調整量に応じてユニフォミティの補正データをリアルタイムに変更する必要があるため、補正データがアイリス調整量ごとに必要となる。この場合、特許文献３における投影レンズのズーム位置と同様、すべてのアイリス調整量に対して補正データを予め用意しておくと、それを格納するメモリの容量が非常に大きくなる。
一方、メモリ容量の増大を抑制するために、アイリス調整量をある範囲のステップに分割し、そのステップごとに補正データを用意することも考えられる。
このステップの分割数が少なければ、それだけメモリ容量の増大を抑えられるが、それだけ補正精度は低くなる。これに対し、ステップの分割数を多くすると、補正精度は上がるが、メモリ容量の増大は抑えることができない。
【００１４】
このメモリの増大に対処するには、ユニフォミティ補正を行う信号処理ＩＣの外部に、たとえばＳＲＡＭ等の汎用メモリを用意して、これを用いる方法も考えられる。信号処理ＩＣの大規模化、それに伴う開発コストの増大に対処するためには、汎用メモリを用いるとよいからである。
しかし、この場合、補正データを外部メモリから信号処理ＩＣのレジスタ等に読み出したり、データを入れ替えたりすることが瞬時にできない。このことは、動的にアイリス調整を行う場合に、そのアイリス調整に伴うユニフォミティ補正の応答速度の低下をもたらす。
【００１５】
また、製造されたディスプレイ装置ごとに個体差があるため、出荷前の調整工程において、ディスプレイ装置ごとにアイリスとユニフォミティの調整を行って補正データを得る必要がある。
しかし、補正データが膨大であると、その調整工程に手間と時間を要し、そのことがコスト増の他の要因となる。
【００１６】
本発明が解決しようとする課題は、光制限部の状態（たとえば、光制限量）に応じて動的または適応的に表示映像の明るさのユニフォミティを補正することを、メモリ容量やデータ量の増大をほとんど伴うことなく行うことが可能な映像表示装置、および、その補正のために映像表示装置に搭載可能な映像信号処理装置を提供することである。
【課題を解決するための手段】
【００１７】
本発明に係る映像表示装置は、入射光を制限して出力するときの光制限量が変更可能な光制限部と、前記光制限部からの光を入射し、当該光を、入力される映像信号のレベルに応じて変調して出射する映像表示部と、前記光制限部の第１光制限状態に適している第１補正量と、第２光制限状態に適している第２補正量とを記憶している記憶部と、前記第１補正量と前記第２補正量に対し、前記光制限部の光制限量に連動して変化する係数を用いる重み付け演算を含む処理を実行することによって、前記第１光制限状態と前記第２光制限状態との間の第３光制限状態に適している第３補正量を算出する補正量算出回路と、前記映像表示部の入射光に対する出射光の一様性を高めるための、前記映像信号に対する補正を、前記第１補正量、前記第２補正量または前記第３補正量を用いて実行する補正回路とを有する。
【００１８】
本発明に係る映像信号処理装置は、光制限量が変更可能な光制限部を通過した光を入射し、当該入射した光を入力信号レベルに応じて変調する映像表示部に対し供給する映像信号を信号処理する映像信号処理装置であって、前記光制限部の第１光制限状態に適している第１補正量と、第２光制限状態に適している第２補正量とを記憶している記憶部と、前記第１補正量と前記第２補正量に対し、前記光制限部の光制限量に連動して変化する係数を用いる重み付け演算を含む処理を実行することによって、前記第１光制限状態と前記第２光制限状態との間の第３光制限状態に適している第３補正量を算出する補正量算出回路と、前記映像表示部の入射光に対する出射光の一様性を高めるための、前記映像信号に対する補正を、前記第１補正量、前記第２補正量または前記第３補正量を用いて実行する補正回路とを有する。
【００１９】
本発明では好適に、前記記憶部に記憶されている前記第１補正量、前記第２補正量の各々が、前記映像表示部の所定間隔ごとの画素位置に対応する数だけ補正データを含み、前記補正量演算回路は、前記映像信号の画素データの入力に応じて、対応する画素のアドレスを発生するアドレス発生部と、前記アドレスを入力し、入力したアドレスに対応する特定画素の周囲に位置する複数の周辺画素に対応する前記第１補正量の複数の補正データと前記第２補正量の複数の補正データとを前記記憶部から読み出して、前記周辺画素ごとに前記第１補正量の補正データと前記第２補正量の補正データとを前記係数に応じた比率で混合する混合部と、前記複数の周辺画素に対応する混合後の複数の補正データから補間により、前記特定画素の前記第３補正量を求める補間部とを有する。
あるいは好適に、前記記憶部に記憶されている前記第１補正量、前記第２補正量の各々が、前記映像表示部の所定間隔ごとの画素位置に対応する数だけ補正データを含み、前記補正量演算回路は、前記映像信号の画素データの入力に応じて、対応する画素のアドレスを発生するアドレス発生部と、前記アドレスを入力し、入力したアドレスに対応する特定画素の周囲に位置する複数の周辺画素に対応する前記第１補正量の複数の補正データを前記記憶部から読み出して、読み出した複数の補正データから補間により前記特定画素の前記第３補正量を求め、前記複数の周辺画素に対応する前記第２補正量の複数の画素データを前記記憶部から読み出して、読み出した複数の画素データから補間により前記特定画素の前記第３補正量を求める補間部と、前記補間部が求めた２つの前記第３補正量を、前記係数に応じた比率で混合して、前記補正部に出力する混合部とを有する。
【００２０】
本発明では好適に、前記入力される映像信号から画面の明るさを算出する明るさ算出部をさらに有し、前記光制限部は、前記画面の明るさに基づいて光制限状態を前記第１光制限状態と前記第２光制限状態を上限と下限とする範囲で自動変更する機能を有する。
本発明では好適に、前記入力される映像信号から画面の明るさを算出する明るさ算出部と、前記信号処理部で求めた前記画面の明るさに基づいて、前記補正量算出回路が入力する前記映像信号のゲインを変化可能なゲイン制御部とをさらに有する。
【発明の効果】
【００２１】
本発明によれば、２つの補正量（第１および第２補正量）に基づきユニフォミティ補正に用いる第３補正量を算出することから、光制限部の状態（たとえば、光制限量）に応じて動的または適応的に表示映像の明るさのユニフォミティを補正することを、メモリ容量やデータ量の増大をほとんど伴うことなく行うことができる。
【発明を実施するための最良の形態】
【００２２】
以下、本発明の実施形態を説明する。
本実施形態は、アイリス（絞り）などの光制限手段とその制御部、および、ユニフォミティ補正回路をディスプレイ装置内部に持つことを前提としている。
このディスプレイ装置は、上記構成を有しているのであれば直視型か投射型かに限定されない。また、光源からの光量ムラや液晶層の厚みばらつき等がユニフォミティの低下要因になることが多いので、ランプ光源を有する液晶表示装置を例として、以下、本発明の実施形態を説明する。
ただし、他の要因、たとえば光源や表示パネルの駆動回路の特性ばらつき、液晶層以外の表示パネルの構造や特性によってユニフォミティが低下することも考えられ、本発明は、その様な場合のユニフォミティ改善に広く適用できる。したがって光源はランプに限定されずＬＥＤ等であってもよいし、映像表示部は液晶パネルに限定されるものではない。
なお、以下に具体的な構成と動作について述べるが、特に本発明に関与しない部分については説明を省略している。また、光制限部は、アイリス、絞り、メカシャッター等様々な呼び方があるので、以下は、アイリスの名称で統一している。
【００２３】
《構成およびその基本動作》
図１に、本実施形態の表示装置の概略的な構成を示す。
表示装置１は、表示装置本体内に、光源２、アイリス３、アイリス制御部４、映像表示部５、信号処理部（たとえば信号処理ＩＣ）６、および、これらを制御する手段としてのＣＰＵ７を有する。このうちアイリス３とアイリス制御部４が本発明の「光制限部」の具体例、信号処理部６が本発明の「映像信号処理装置」の具体例に該当する。
【００２４】
光源２およびアイリス３は、不図示の照明光学系内に設けられている。光源２からは光２Ａを出力し、この光２Ａはアイリス３に入射される。
アイリス３は、アイリス制御部４の制御を受けて、動的に変更可能な制御量（光制限量）に応じて、入射光に対する出射光の光量を制限する。アイリス３からの光３Ａは、不図示の光学部品を通って映像表示部５を照明する。
アイリス制御部４はＣＰＵ７に接続され、ＣＰＵ７の制御を受けて、光制限量を変えるための駆動回路である。
映像表示部５は、表示デバイスと駆動回路を含み、駆動回路がＣＰＵ７からの制御を受けて、表示デバイスを駆動する。
信号処理部６は、外部からの映像信号ＰＳＩＮを入力し、ユニフォミティ補正およびゲイン調整を含む所定の処理を行う。処理後の映像信号ＰＳＯＵＴは、信号処理部６から映像表示部５内の駆動回路に出力される。映像表示部５は、この映像信号ＰＳＯＵＴに応じた映像を表示する。
【００２５】
図２に、信号処理部６の内部構成を示す。
この図２は、図１のアイリス３で光量を調節する機構をもつディスプレイ装置の信号処理ブロック図である。そして、図２は、映像信号ＰＳＩＮが示す画面の明るさに応じて、アイリス３の光制限量を動的に制御し、かつ、この光制限量に応じて映像信号ＰＳＩＮの信号ゲインとユニフォミティ補正量を動的に制御するための構成を示す。他の処理に関する部分、たとえば色調整に関する部分は図示を省略している。
【００２６】
信号処理部６は、明るさ算出回路６１、ゲイン制御回路６２、ユニフォミティ制御回路６３、および、ＣＰＵインターフェイス６４を備える。信号処理部６は、アイリス制御部４およびＣＰＵ７とともに同期信号ＳＹＮＣにて同期制御されている。
なお、明るさ算出回路６１の機能、ユニフォミティ制御回路６３の一部機能はＣＰＵ７が実行するプログラムおよびデータを用いたソフトウエアによっても実現可能である。ただし、ＣＰＵ７の処理負担を減らすことによって動的制御の応答性を高くするには、図示のように明るさ算出回路６１等をハードウエア構成とすることが望ましい場合があり、その理由から、本実施形態では明るさ算出回路６１とユニフォミティ制御回路６３を回路によって実現している。
【００２７】
明るさ算出回路６１は、入力される映像信号ＰＳＩＮに対して、映像シーンの明るさを測るために統計処理を行う。この統計処理としては、ヒストグラムから１画面（たとえば１フレーム（１Ｆ））の輝度分布を求めて、その平均値(average value)、中央値(mean value)等の分布パラメータを検出し、これを明るさ情報として出力してもよい。単純に、１Ｆの画素データレベルを平均してＡＰＬ(Average Picture Level)を求めて、これを映像シーンの明るさ情報として出力してもよい。また、１Ｆの画素データレベルを積分して、これを映像シーンの明るさ情報として出力してもよい。
【００２８】
このようにして得られた明るさ情報は、ＣＰＵインターフェイス６４を介して、ＣＰＵ７に送ることが可能になっている。
なお、ＣＰＵインターフェイス６４は、所定のパラレルインターフェイス規格に準拠して、ＣＰＵ７と高速通信を可能にするため設けられている。ＣＰＵインターフェイス６４は幾つかのレジスタを含み、ＣＰＵからのレジスタに対する並列なデータや命令の書き換えによって、他の回路、すなわち明るさ算出回路６１、ゲイン制御回路６２、ユニフォミティ制御回路６３に対するデータ通信や制御を並列に行うことができる。
このインターフェイスに関する構成は、図示や上記説明に限定されないが、動的制御の応答性向上のためには、高速なＣＰＵを備えるか、上記のようにシリアル通信の仕組みを用いることが望ましい。
【００２９】
ゲイン制御回路６２は、映像信号ＰＳＩＮを入力し、その個々の画素データレベルを増減するゲイン調整回路である。
本実施形態において、このゲイン調整は、アイリス制御に連動して動的に行われる。その理由は後述する。
【００３０】
ユニフォミティ制御回路６３は、ゲイン制御後の映像信号ＰＳＩＮを入力し、それに対しユニフォミティ補正を施す回路である。
本実施形態において、このユニフォミティ補正は、アイリス制御に連動して動的に行われる。その理由は後述する。
また、上述のようにアイリス制御に連動して変化する信号ゲインに対してユニフォミティ補正量が最適化される。つまり、ユニフォミティ制御回路６３が行うユニフォミティ補正は、映像表示部内の２次元の画素位置と、信号レベルとに応じた輝度補正（３次元γ補正）に基づくものである。
ユニフォミティ補正後の映像信号ＰＳＯＵＴは、必要に応じて他の処理が施された後、図１の信号処理部６から映像表示部５に送られ、映像表示に供せられる。
【００３１】
図３は、ユニフォミティ制御回路６３の概略構成を示すブロック図である。
ユニフォミティ制御回路６３は、アドレス発生回路６３１、内蔵メモリである、たとえばＳＲＡＭ６３３のメモリ領域を含むメモリコントローラ６３２、補正量算出回路６３４、および、たとえばゲインコントロールアンプからなる補正部６３５を含む。
【００３２】
アドレス発生回路６３１は、映像信号ＰＳＩＮと同期信号ＳＹＮＣとを入力する。映像信号ＰＳＩＮは、同期信号に同期した画素データ列を含み、幾つかの画素データ列が、たとえば、図１の映像表示部５において表示される順番に配列され送られてくる。
したがって、アドレス発生回路６３１は、現在入力している映像信号ＰＳＩＮの画素データごとに、その図１の映像表示部５の表示面における画素のアドレスＡＤＲを発生できる。そして、このアドレスＡＤＲに基づいて、メモリコントローラ６３２が出力制御するＳＲＡＭ６３３からの補正データが、当該アドレスＡＤＲに対応した特定画素に対応して出力され、また、補正量算出回路６３４によって、上記特定画素に対する補正量Ｐの算出が行われる。
このアドレスＡＤＲおよび映像信号ＰＳＩＮは、補正部６３５にも入力されている。このため補正部６３５において、アドレス発生回路６３１が出力したアドレスＡＤＲに対応した補正量Ｐを用いて、当該アドレスＡＤＲに対応した映像信号ＰＳＩＮの画素データに対してユニフォミティ補正のためのゲイン調整がなされる。
以上の動作は、アドレス発生回路６３１からアドレスＡＤＲが出力されるたびに実行される。
【００３３】
メモリコントローラ６３２内のＳＲＡＭ６３３には、本発明の第１補正量と第２補正量が予め記憶されている。ここで第１補正量とは、図１のアイリス３における光制限量が最大（最大絞り）のときの補正量であり、第２補正量とは、アイリス３における光制限量が最小（絞り開放）のときの補正量であるとする。
なお、第１補正量と第２補正量は、映像シーンの明るさに応じて決めることができる。その場合、第１補正量と第２補正量は、アイリス３における機械的な最大絞りの限度、機械的な最小絞り（絞り開放）の限度に必ずしも対応していなくてもよい。たとえば、第１補正量は映像シーンの明るさによらず、機械的な最大絞り時の補正量であるとし、第２補正量を、映像シーンの明るさに応じて変える制御が可能である。つまり、映像シーンの明るさ情報が、ある閾値より低くて画面が暗いときは、最小絞りの限度である第２補正量を比較的に小さく設定し、それ以外の画面が明るいときは、この第２補正量を機械的な絞り開放限度一杯にしたときの補正量とすることができる。この制御は、図２において明るさ算出回路６１からの明るさ情報６１ＡをＣＰＵ７が受け取って、その情報に基づいてＣＰＵ７がアイリス制御部４のアイリス可動範囲を制限するまたは無制限とすることによって実施できる。
この第１および第２補正量の各々が、本例では８つの補正データ（Ａ〜Ｈ）を含み、これらがメモリコントローラ６３２の制御を受けたＳＲＡＭ６３３から補正量算出回路６３４に読み出される。
【００３４】
補正量算出回路６３４は、図示を省略するが混合部と補間部を有している。混合部と補間部が行う処理順序は、どちらを先にするかに応じて２通りある。その処理の詳細は後述する。
この処理を経て、アドレスＡＤＲに対応した特定画素の補正量Ｐが補正量算出回路６３４にて生成され、補正部６３５のＧＣＡのゲイン入力に付与される。
【００３５】
補正部６３５は、図示を省略しているが、ＧＣＡの前段に遅延部を有している。遅延部は、アドレス発生回路６３１にアドレスＡＤＲを発生するための画素データが入力されてから、アドレスＡＤＲが発生し、当該アドレスＡＤＲに基づいて補正データの読み出し、補正量Ｐの算出が行われ、補正量Ｐが実際にＧＣＡに入力されるまでの時間以上の遅延を行うものである。この時間が経過したときには、ＧＣＡの入力に補正対象の特定画素のデータと、その補正量Ｐとが揃うので、ＧＣＡは同期信号ＳＹＮＣに同期して補正（ゲイン調整）を行うことができる。
補正後の画素データは映像信号ＰＳＯＵＴとして、図１の映像表示部５に送られ映像表示に供せられる。
【００３６】
《連係動作》
以上で各部の機能と併せて、その基本動作を説明したが、つぎに、アイリス、ゲインおよびユニフォミティの動的あるいは適応的な連係動作について説明する。
【００３７】
図１に示すアイリス３を絞る（光制限量を大きくする）と、アイリス３からの光３Ａが、光源２からの光２Ａに比べて光量として減少する。この場合、ゲイン制御回路６２で映像信号ＰＳＩＮの各画素データの信号レベルを増幅してゲインを上げ、アイリス３を絞ったことにより生じる表示映像の明るさ低下を、このゲインアップによって補償するように制御できる。この場合、信号レベルに対するノイズレベルが下がるので映像のＳ／Ｎ比が向上するという副次的な効果も得られる。
また、逆に、アイリス３を開放側に動かす（光制限量を小さくする）と、アイリス３からの光３Ａが、光源２からの光２Ａに比べて光量として多くなる。この場合、ゲイン制御回路６２で映像信号ＰＳＩＮの各画素データの信号レベルを減衰してゲインを下げ、アイリス３を開放側に動かしたことにより生じる表示映像の明るさ増加を、このゲインダウンによって補償するように制御できる。
このような動作は、ユニフォミティ補正に与える影響を全く無視するならば、上記制御で足りる。
【００３８】
しかし、前述したようにユニフォミティは、アイリス３を絞ったときに向上し、開放側にしたときに低下する。しかも、その補正量の最適値がアイリス３の光制限量に応じて変化する。
一方、画面が暗いときはゲインを上げ、画面が明るいときは飽和しないようにゲインを下げる要請がある。しかも、精度の高いユニフォミティ補正を行うために３次元γ補正を行う場合、信号ゲインに応じて補正量の最適値が異なる。
【００３９】
本実施形態では、以上より３つの要素、すなわちアイリス調整量、ゲイン、ユニフォミティ補正量が密接に関係して、その３要素の最適化を瞬時に行って動的かつ適応的な制御を行う。
このため図２に示す構成において、まず、明るさ算出回路６１が映像信号ＰＳＩＮの画面の明るさを検出し、その明るさ情報６１Ａを、ＣＰＵインターフェイス６４を介してＣＰＵ７に送る。ＣＰＵ７は、アイリス制御部４を制御し、上記明るさ情報６１Ａに応じて、アイリス３（図１）の可動範囲と、その可動範囲内における光制限量の値を決定する。
また、ＣＰＵ７は、明るさ情報６１Ａに応じて、上記決定したアイリス３の光制限量において画面が暗すぎず、かつ、明るすぎないようにゲインを調整するためのゲイン制御信号７Ａを、ＣＰＵインターフェイス６４を介してゲイン制御回路６２に送る。
さらに、ＣＰＵ７は、明るさ情報６１Ａに応じて決定したアイリス３の光制限量範囲の上下限情報と当該範囲内における光制限量の値、ならびに、明るさ情報６１Ａに応じて決定したゲイン調整の情報とを含むゲイン／ユニフォミティ制御情報７Ｂを、ＣＰＵインターフェイス６４を介してユニフォミティ制御回路６３に送る。
【００４０】
ＣＰＵ７からのゲイン制御信号７Ａに基づいて、ＣＰＵインターフェイス６４は最適ゲインを設定して、映像信号ＰＳＩＮに対するゲイン制御を行う。
また、ＣＰＵ７からのゲイン／ユニフォミティ制御情報７Ｂに基づいて、ユニフォミティ制御回路６３が、映像信号ＰＳＩＮに最適な補正量でユニフォミティ補正を、当該映像信号ＰＳＩＮに対し実行する。
以上の制御は、明るさ算出回路６１が１画面分の画素データを入力するたびに、あるいは、１画面で優位差のある明るさ変動を検出するたびに動的にかつ適応的に行われる。
なお、急激な補正を防止して見た目の不自然さをなくすために、最終的なゲイン調整値、ユニフォミティ補正量を最終目標とし、ゲインやユニフォミティ補正量を目標に向かって数画面かけて徐々に変化させる制御も可能である。
【００４１】
《ユニフォミティ補正量算出法》
以下、図３の補正量算出回路６３４が行う補正量Ｐの算出方法について、幾つかの方法に分けて説明する。
【００４２】
図４（Ａ）〜図４（Ｃ）は、第１の方法を説明するための図である。これらの図は、３次元γ補正の補正データ空間を表すものであり、ｘ方向が表示画面の水平位置、ｙ方向がその垂直位置、ｚ方向が信号レベルの大きさを表す。
図４（Ａ）に絞り開放時の補正データ（第２補正量の８データ）を示し、それを符号Ａａ,Ｂａ,Ｃａ,Ｄａ,Ｅａ,Ｆａ,Ｇａ,Ｈａにより表している。図４（Ｂ）に絞り最大時の補正データ（第１補正量の８データ）を示し、それを符号Ａｂ,Ｂｂ,Ｃｂ,Ｄｂ,Ｅｂ,Ｆｂ,Ｇｂ,Ｈｂにより表している。
絞り開放時データＡａ,Ｂａ,Ｃａ,Ｄａ,Ｅａ,Ｆａ,Ｇａ,Ｈａ、絞り最大時データＡｂ,Ｂｂ,Ｃｂ,Ｄｂ,Ｅｂ,Ｆｂ,Ｇｂ,Ｈｂは、以下のように求められ、図３のＳＲＡＭ６３３に予め保存されている。
【００４３】
図５（Ａ）は、この補正データ取得時のシステム図、図５（Ｂ）は、補正データ取得ポイントを表示画面上に示す図である。この取得は、表示装置１の製品出荷前の調整工程で行われる。
図５（Ａ）に示すシステムは、本実施形態の表示装置１と、カメラ１００と、データ処理装置（たとえばＰＣ）１０１とを有する。
まず、絞り開放に表示装置１を設定して、均一映像ソースを表示させる。そして、その表示映像をカメラ１００にて撮影し、その撮影信号をデータ処理装置１０１に送って、そこでデータ処理を行う。
このデータ処理では、図５（Ｂ）のように、ｘ方向、ｙ方向の各々で所定間隔の画素データをサンプリングする。
このデータダンプリングを、輝度レベル（信号ゲイン）を全黒から全白までの範囲で、一定のステップで変化させながら、その範囲内のステップ数だけ繰り返す。
その結果得られたデータ群が、第１補正量の補正データである。
【００４４】
最大絞りに表示装置１の設定を変更し、上記と同様な操作を行って、第１補正量の補正データを取得する。
なお、絞り開放側をアイリス３の機械的開放端より絞った位置にするデータが必要な場合、その絞り値に表示装置１の設定を変更し、上記と同様な操作を行って、他の第２補正量の補正データを取得する。
このようにして得られた全黒から全白までのさまざまな輝度を有する第１補正量と第２補正量のデータ群を、各データに対応するアドレスおよび信号レベルと対応して、図３のＳＲＡＭ６３３に格納する。
【００４５】
図４（Ｃ）は、一つの特定画素の補正値Ｐを得るために必要な周辺４画素の上記第１および第２補正量の各８データ、合計１６の補正データを対応する対ごとに、すなわちデータＡａとＡｂ、データＢａとＢｂ、・・・の組み合わせで係数αの比で混合したときの混合後の８データを示している。特定画素の信号レベルを含む範囲の２つの信号レベルが必要であるため、必要な補正データ数は、４×２＝８となっている。
図４（Ｃ）では混合後の８データを、符号Ａmix,Ｂmix,Ｃmix,Ｄmix,Ｅmix,Ｆmix,Ｇmix,Ｈmixにより表している。この混合後の補正データは、次式(1)を用いて図３の補正量算出回路６３４内の混合部において生成される。
【００４６】
【数１】
2007249063.tif 000003
【００４７】
ここで混合比を決める係数αは、図２において明るさ算出回路６１からの明るさ情報６１Ａに基づいてＣＰＵ７とアイリス制御部４の制御により、アイリス３（図１）の光制限量が最大絞りと絞り開放の間で決定されたときの光制限量の値に連動して動的に変化する係数である。この係数αは、ＣＰＵ７からユニフォミティ制御回路６３に出力されるゲイン／ユニフォミティ制御情報７Ｂに含まれ、これを混合部が入力して用いる。
【００４８】
混合後の補正データＡmix,Ｂmix,Ｃmix,Ｄmix,Ｅmix,Ｆmix,Ｇmix,Ｈmixは、補正量算出回路６３４の補間部に送られ、たとえば線形補間等の所定の補間方法を用いて特定画素の補正量Ｐ（第３補正量）を求める際に用いられる。
図４（Ｃ）は線形補間の場合であり、次式(2)によって、特定画素の補正量Ｐが算出される。
【００４９】
【数２】
2007249063.tif 000004
【００５０】
算出された補正量Ｐは、図３の補正部６３５に送られＣＧＡに設定される。
その後、同期信号ＳＹＮＣに同期したＣＧＡのゲイン調整によって、入力した映像信号ＰＳＩＮの信号レベルがユニフォミティ向上のために最適化され、映像信号ＰＳＯＵＴとして出力される。
以上の処理が、図３のメモリコントローラ６３２に入力されているアドレスＡＤＲが変更されるたびに実行され、その結果、１画面分の画素データを用いて表示した画面においてユニフォミティが補正される。
【００５１】
図６（Ａ）〜図６（Ｃ）に、第２の方法の説明図を示す。これらの図では、図４（Ａ）〜図４（Ｃ）で説明した補間データおよび係数αは同一符号で示している。それら絞り開放時データＡａ,Ｂａ,Ｃａ,Ｄａ,Ｅａ,Ｆａ,Ｇａ,Ｈａと、絞り最大時データＡｂ,Ｂｂ,Ｃｂ,Ｄｂ,Ｅｂ,Ｆｂ,Ｇｂ,Ｈｂの取得方法および格納方法、ならびに、係数αの意味は前述したものと同じであり、ここで重複した説明は行わない。
本第２の方法は、第１の方法と混合と補間の手順を逆にしたものであり、先に補間を行い、補間後の補正データを係数αで混合する。
補間式を次式(3)に、混合式を式(4)に示す。
【００５２】
【数３】
2007249063.tif 000005
【００５３】
【数４】
2007249063.tif 000006
【００５４】
《係数αについて》
以上は、アイリス３を開放状態でもなく、最大絞り状態でもない中間の状態にした場合に、絞り開放時データＡａ,Ｂａ,Ｃａ,Ｄａ,Ｅａ,Ｆａ,Ｇａ,Ｈａと、絞り最大時データＡｂ,Ｂｂ,Ｃｂ,Ｄｂ,Ｅｂ,Ｆｂ,Ｇｂ,Ｈｂとを、係数αで混合する２つの方法を説明した。
この説明では、アイリス３の光制限量の値と係数αが１：１で線形に変化（比例）することを前提とし、その前提の下で、係数αを用いた単純な混合を行っている。しかし、アイリス３の光制限量の値と係数αが比例関係でなく非線形に対応する場合もあり得る。
この場合、比例関係を前提とした単純な混合式を用いると、補正誤差が大きくなる。
したがって、本実施形態では、非線形混合式を用いることも可能である。
【００５５】
とくに、明るさ方向（信号レベル方向）に関しては非線形な調整値の推移が必要になる場合がある。たとえば、アイリス３を最大と最小の中間状態にした状態では、ほとんどの階調では絞り最大の時の調整値と最小の時の調整値との中間値を取ればよいが、暗い階調だけは絞り開放の調整値を用いる方が望ましいなどという場合に、明るさレベルに応じて係数αを変える事で対応することが望ましい。
【００５６】
図７に、この信号レベルに応じて係数αを多段階変化させる場合の説明図を示す。
図７では、アイリス３を開放したときの補正データａの集合（第２補正量）、アイリス３を最大まで絞ったときの補正データｂの集合（第１補正量）について、補正データａとｂを混合比（係数α）に関して、図２の明るさ算出回路６１が検出した明るさ情報６１Ａに応じて、すなわち画面の明るさレベルに応じて、混合比を係数α０〜α１１の１２段階のいずれかに変更できることを示している。
いま仮に、明るさ方向（信号レベルの大きさを示すｚ方向）に１２レベルの調整値を持つ場合、１２個の独立した係数α０〜α１１によって混合比を設定できることになる。この係数の選択では、特定画素の信号レベルに対応したものを選択し、その係数を前述した式(1)または式(4)の混合比（係数α）として用いることが望ましい。
【００５７】
この混合方法では、アイリス開放時の補正データａのうち、全黒時の補正データを符号Ｌ０ａにより、全白時の補正データを符号Ｌ１１ａにより、アイリス最大絞り時の補正データｂのうち、全黒時の補正データを符号Ｌ０ｂにより、全白時の補正データを符号Ｌ１１ａにより、それぞれ示すとすると、１２通りの信号レベルのそれぞれで混合した後の補正データＬ０mix,…,Ｌ１１mixは、次式(5)により表すことができる。
【００５８】
【数５】
2007249063.tif 000007
なお、この式で補正データＬ０mixとＬ１１mixとの間の中間レベル（１０レベル）は式を省略しているが、これらの１０レベルについても同様な式によって、明るさに応じて混合比を独立に変化させた条件下で、その補正データを求めることができる。
【００５９】
また、以上の説明では第１および第２補正量を用いて混合を行う手法を示したが、さらに多くの補正量を増やしてもよい。この場合、３以上の要素の混合となり、そのために必要な係数αも２以上となる。これによって、さらに精度の高いユニフォミティ補正が可能となる。
特定画素Ｐが、図５でサンプリングした点にあたるときは、第１補正量Ｐｂ，第２補正量Ｐａを、図５の段階で予め求めておいてＳＲＡＭ６３３に保存しておき、これをそのまま用いて補正（ＧＣＡによるゲイン調整）を行ってもよい。
さらに、補間方法は線形補間に限らず、さらに高次の補間方法を用いることも可能である。
【００６０】
また、図３の補正部６３５は、ＧＣＡでなく乗算器で構成してもよい。さらに、補正部６３５をゲイン調整ではなく、たとえば加減算器を用いたオフセット調整が可能にして、これによってユニフォミティ補正を行ってもよい。
次式(6-1)がオフセット調整時の調整式、式(6-2)がゲイン調整時の調整式である。なお、オフセット調整時の補正量Ｐは正負の値を持ち、ゲイン調整時の補正量Ｐは０より大きい正の値を持つ。
【００６１】
【数６】
2007249063.tif 000008
【００６２】
本実施形態によれば、以下の利点が得られる。
これまでアイリス（絞り）を用いて動的に光量を調節する機構を用いる場合、ユニフォミティ補正処理を行っていても、アイリスの開放度合いに応じて光源からの光分布が変るために、アイリスの条件が動的に変るとそれに追従して充分にユニフォミティ補正を行うことができなかった。
本実施形態では、アイリスの開放度合いに応じて動的に補正量も変えることができ、アイリスの条件をさまざまに変えてもその条件に即して瞬時にユニフォミティ補正を適正に合わせることができ、ひいてはアイリスを用いたときの画質向上を見込むことができる。
また、状態の異なるユニフォミティ補正値を混合して用いる機能により、アイリス状態間の遷移をスムーズに行うことができる。これは、アイリスをアナログ的に多段階に開閉したときに対して、それに付随して連続的に補正値も推移することになり、視覚的に補正値が切り替わることから来る違和感が生じないで補正を行うことができる。
さらに、混合比を階調ごとに設定できる機能を持たせることにより、アイリスの開閉の程度と混合する補正状態間の差の程度が階調に対して線形に変化していなくても対応することができる。
【図面の簡単な説明】
【００６３】
【図１】本実施形態の表示装置の概略的な構成を示すブロック図である。
【図２】信号処理部の内部構成を示すブロック図である。
【図３】ユニフォミティ制御回路の概略構成を示すブロック図である。
【図４】（Ａ）〜（Ｃ）は、第１の補正量算出方法を説明するための図である。
【図５】（Ａ）は補正データ取得時のシステムを示す図、（Ｂ）は取得ポイントの表示画面上位置に示す図である。
【図６】（Ａ）〜（Ｃ）は、第２の補正量算出方法を説明するための図である。
【図７】信号レベルに応じて混合係数を多段階変化させる場合の説明図である。
【符号の説明】
【００６４】
１…表示装置、２…光源、３…アイリス、４…アイリス制御部、５…映像表示部、６…信号処理部、７…ＣＰＵ、７Ａ…ゲイン制御信号、７Ｂ…ゲイン／ユニフォミティ制御情報、６１…明るさ算出回路、６１Ａ…明るさ情報、６２…ゲイン制御回路、６３…ユニフォミティ制御回路、６４…ＣＰＵインターフェイス、６３１…アドレス発生回路、６３２…メモリコントローラ、６３３…ＳＲＡＭ、６３４…補正量算出回路、６３５…補正部、ＰＳＩＮ,ＰＳＯＵＴ…映像信号、ＡＤＲ…アドレス、Ａ〜Ｈ…補正データ、Ｐ…補正量、α…係数
【図１】
2007249063.tif 000009
【図２】
2007249063.tif 000010
【図３】
2007249063.tif 000011
【図４】
2007249063.tif 000012
【図５】
2007249063.tif 000013
【図６】
2007249063.tif 000014
【図７】
2007249063.tif 000015